(57)【要約】【課題】  加湿した高温風の送出を環境に優しく高効率で容易に行う高効率加湿温風装置を提供すること。【解決手段】  本発明の高効率加湿温風装置１００は、貯留水Ｗに設けられた超音波発生器より発生する超音波により発生する蒸気Ｂと外部より斜め水平方向に吸入の空気Ｅとを混合し加湿空気Ｋを生成する加湿器２０と、加湿器２０より送入された加湿空気Ｋを加熱し加熱加湿空気Ｈとする加熱ダクト３０と、加熱ダクト３０の送出側に設けられ送入する加熱加湿空気Ｋを送出する送風器３３とを備えることとした。【選択図】図１
2019184213.tif 000002
【特許請求の範囲】
【請求項１】
超音波により貯留水より発生する蒸気と外部よりの空気とを混合し加湿空気を生成する加湿器と、前記加湿器よりの前記加湿空気を加熱し加熱加湿空気とする加熱ダクトと、前記加熱ダクトの送出側に設けられ前記加熱加湿空気を送出する送風器とを備えることとしたことを特徴とする高効率加湿温風装置。
【請求項２】
前記加湿器は、前記貯留水の内部に超音波発生器を設け、前記超音波発生器より発生する前記超音波により蒸気を発生し、円筒形状とした側面に空気吸入口を設け、前記空気吸入口より前記空気を水平方向に吸入することとしたことを特徴とする請求項１に記載の高効率加湿温風装置。
【請求項３】
前記加湿器は、上面を上方向けた漏斗形状とし、円筒形状とした側面に空気吸入口を設け、前記空気吸入口より前記空気を前記漏斗形状の上面と前記貯留水との間に斜め水平方向に吸入することとしたことを特徴とする請求項１または請求項２に記載の高効率加湿温風装置。
【請求項４】
加湿エレメントにより貯留水より発生する蒸気と外部よりの空気とを混合し加湿空気を生成する加湿器と、前記加湿器よりの前記加湿空気を加熱し加熱加湿空気とする加熱ダクトと、前記加熱ダクトの送出側に設けられ前記加熱加湿空気を送出する送風器とを備えることとしたことを特徴とする高効率加湿温風装置。
【請求項５】
前記加湿器は、前記貯留水を含有する加湿エレメントを設け、前記加湿エレメントに外部より吸入の空気を与え前記加湿エレメントに含有する前記貯留水を気化した蒸気と前記空気とを混合して加湿空気を生成することとしたことを特徴とする請求項４に記載の高効率加湿温風装置。
【請求項６】
前記加湿器は、上面を上方向けた漏斗形状とし、円筒形状とした側面に空気吸入口を設け、前記空気吸入口より前記空気を前記漏斗形状の上面と前記貯留水との間に斜め水平方向に吸入することとしたことを特徴とする請求項５に記載の高効率加湿温風装置。
【発明の詳細な説明】
【技術分野】
【０００１】  本発明は、加湿した高温風の送出を環境に優しく高効率で容易に行う高効率加湿温風装置に関する。
【背景技術】
【０００２】  一般家庭や工場などで使用されているものとして、外部から吸入した空気を電熱ヒータで加熱し送風ファンで外部に送出する電熱ヒータ式の温風器がある（例えば、特許文献１参照）。
【先行技術文献】
【特許文献】
【０００３】
【特許文献１】特開２００１−２６３８２３号公報
【発明の概要】
【発明が解決しようとする課題】
【０００４】  しかしながら、従来の電熱ヒータ式の温風器は、二酸化炭素を発生することがなく環境に優しくすることはできるが、外部から吸入した空気を電熱ヒータで加熱するため暖房効率が低く、さらに、暖房とともに加湿を行なうためには加湿器を別途使用しなければならないという問題があった。
本発明は、上記に鑑みてなされたものであって、加湿した高温風の送出を環境に優しく高効率で容易に行う高効率加湿温風装置を提供することを目的とする。
【課題を解決するための手段】
【０００５】  本発明の高効率加湿温風装置は、超音波により貯留水より発生する蒸気と外部よりの空気とを混合し加湿空気を生成する加湿器と、前記加湿器よりの前記加湿空気を加熱し加熱加湿空気とする加熱ダクトと、前記加熱ダクトの送出側に設けられ前記加熱加湿空気を送出する送風器とを備えることとした。
また、前記加湿器は、前記貯留水の内部に超音波発生器を設け、前記超音波発生器より発生する前記超音波により蒸気を発生し、円筒形状とした側面に空気吸入口を設け、前記空気吸入口より前記空気を水平方向に吸入することとした。
また、前記加湿器は、上面を上方向けた漏斗形状とし、円筒形状とした側面に空気吸入口を設け、前記空気吸入口より前記空気を前記漏斗形状の上面と前記貯留水との間に斜め水平方向に吸入することとした。
また、本発明の高効率加湿温風装置は、加湿エレメントにより貯留水より発生する蒸気と外部よりの空気とを混合し加湿空気を生成する加湿器と、前記加湿器よりの前記加湿空気を加熱し加熱加湿空気とする加熱ダクトと、前記加熱ダクトの送出側に設けられ前記加熱加湿空気を送出する送風器とを備えることとした。
また、前記加湿器は、前記貯留水を含有する加湿エレメントを設け、前記加湿エレメントに外部より吸入の空気を与え前記加湿エレメントに含有する前記貯留水を気化した蒸気と前記空気とを混合して加湿空気を生成することとした。
さらに、前記加湿器は、上面を上方向けた漏斗形状とし、円筒形状とした側面に空気吸入口を設け、前記空気吸入口より前記空気を前記漏斗形状の上面と前記貯留水との間に斜め水平方向に吸入することとした。
【発明の効果】
【０００６】  本発明の高効率加湿温風装置は、超音波により貯留水より発生する蒸気と外部よりの空気とを混合し加湿空気を生成する加湿器と、前記加湿器よりの前記加湿空気を加熱し加熱加湿空気とする加熱ダクトと、前記加熱ダクトの送出側に設けられ前記加熱加湿空気を送出する送風器とを備えることとしたため、加湿した高温風の送出を環境に優しく高効率で容易に行うことができる。
また、前記加湿器は、前記貯留水の内部に超音波発生器を設け、前記超音波発生器より発生する前記超音波により蒸気を発生し、円筒形状とした側面に空気吸入口を設け、前記空気吸入口より前記空気を水平方向に吸入することとしたため、より的確容易に加湿した高温風の送出をすることができる。
また、前記加湿器は、上面を上方向けた漏斗形状とし、円筒形状とした側面に空気吸入口を設け、前記空気吸入口より前記空気を前記漏斗形状の上面と前記貯留水との間に斜め水平方向に吸入することとしたため、さらにより的確容易に加湿した高温風の送出をすることができる。
また、本発明の高効率加湿温風装置は、加湿エレメントにより貯留水より発生する蒸気と外部よりの空気とを混合し加湿空気を生成する加湿器と、前記加湿器よりの前記加湿空気を加熱し加熱加湿空気とする加熱ダクトと、前記加熱ダクトの送出側に設けられ前記加熱加湿空気を送出する送風器とを備えることとしたため、加湿した高温風の送出を環境に優しく高効率で容易に行うことができる。
また、前記加湿器は、前記貯留水を含有する加湿エレメントを設け、前記加湿エレメントに外部より吸入の空気を与え前記加湿エレメントに含有する前記貯留水を気化した蒸気と前記空気とを混合して加湿空気を生成することとしたため、より的確容易に加湿した高温風の送出をすることができる。
さらに、前記加湿器は、上面を上方向けた漏斗形状とし、円筒形状とした側面に空気吸入口を設け、前記空気吸入口より前記空気を前記漏斗形状の上面と前記貯留水との間に斜め水平方向に吸入することとしたため、さらにより的確容易に加湿した高温風の送出をすることができる。
【図面の簡単な説明】
【０００７】
【図１】  本発明の第１の実施形態の超音波式の高効率加湿温風装置の側面図を示す。
【図２】  超音波式の加湿器の断面図を示す。
【図３】  本発明の第２の実施形態の気化式の高効率加湿温風装置の側面図を示す。
【図４】  気化式の加湿器の断面図を示す。
【図５】  本発明の高効率加湿温風装置に使用する他の実施例の加熱ダクトの断面図を示す。
【発明を実施するための形態】
【０００８】  以下、本発明の第１、第２の実施形態の高効率加湿温風装置及び他の実施例の加熱ダクトにつき説明する。
【実施例１】
【００９】  図１は、本発明の第１の実施形態の超音波式の高効率加湿温風装置の側面図を示す。
図１に示すように、本発明の第１の実施形態の超音波式の高効率加湿温風装置１００は、超音波発生器２１により発生する蒸気Ｂと外部より吸入する空気Ｅとが混合して加湿空気Ｋを生成し送出する超音波式の加湿器２０と、超音波式の加湿器２０より送出する加湿空気Ｋを加熱し加熱加湿空気Ｈとする加熱ダクト３０と、加熱ダクト３０より加熱加湿空気Ｈを送入し送出する電動ファンの送風器３３とが設けられている。図１では、超音波式の加湿器２０と加熱ダクト３０とは断面図を示す。【００１０】  純水器１１は、送入管１２よりの水道水が矢印Ｆに示すように送入され純化を行なう。純水器１１により純化された純水は、純水タンク１４に貯留され、超音波式の加湿器２０に送出する。超音波式の加湿器２０は、純水タンク１４より送出の純水を貯留水Ｗとして貯留し、水位センサ２５が予め定めた水位以下になったことを検知したとき制御弁１３が開き、送入管１２よりの水道水が純水器１１に送入される。純水器１１により純化された純水は純水タンク１４に貯留される。純水タンク１４では、超音波式の加湿器２０に貯留の純水の貯留水Ｗが予め定めた水位になるまで送出が行われ、超音波式の加湿器２０の貯留水Ｗの水位が一定の高さに制御される。貯留水Ｗは純水の使用により錆の発生や不純物の付着を防止することができるが、簡易的にするためには貯留水Ｗに水道水などを直接使用するようにすることもできる。【００１１】  超音波式の加湿器２０は、純水器１１により純化した純水の貯留水Ｗが超音波式の加湿器２０の水槽２２に貯留されているが。貯留水Ｗの中に設けられた超音波発生器２１により発生する蒸気Ｂと、円筒形状の水槽２２に設けた空気吸入管２３より矢印Ｐに示すように送風器３３により外部より吸入する空気Ｅとが混合して加湿空気Ｋを生成する。空気吸入管２３は空気吸入口を形成しているが、円筒形状の水槽２２の側面に穴を形成し空気吸入口とすることもできる。【００１２】  また、超音波式の加湿器２０の水槽２２は側面を円筒形状としているが、上面２２ａは上方向けた漏斗形状としている。外部よりの空気Ｅを側面より吸入すると共に蒸気Ｂと混合し、水槽２２の漏斗形状の上面２２ａの中心に設けた貫通穴２４より加湿空気Ｋを送出する。
従って、矢印Ｐに示すように外部より吸入する空気Ｅは、的確に斜め垂直方向に拡散して送入することができ、むらのない的確な加湿空気Ｋを生成することができる。【００１３】  加熱ダクト３０は、垂直に設けられ、コイル形の加熱器３１が垂直に設けられており、超音波式の加湿器２０より送出する加湿空気Ｋをコイル形の加熱器３１により加熱し、加湿した高温風の加熱加湿空気Ｈとする。
送風器３３は、加熱ダクト３０より加熱加湿空気Ｈを送入し外部に送出する。そのため、簡潔容易に加熱した加湿空気を高効率で送出することができる。【００１４】  次に、本発明の第１の実施形態の超音波式の高効率加湿温風装置の動作につき説明する。
超音波式の加湿器２０は貯留水Ｗを貯留し、貯留水Ｗは水位センサ２５により水位を一定の高さに制御され、超音波発生器２１により発生する蒸気Ｂと吸入する空気Ｅとにより加湿空気Ｋを生成する。加熱ダクト３０は、加湿空気Ｋを加熱し、加湿した高温風の加熱加湿空気Ｈとし、送風器３３により外部に送出する。【００１５】  以上述べたように、本発明の第１の実施形態の超音波式の高効率加湿温風装置１００は、蒸気を的確に発生させ加湿空気Ｋを生成し、環境に優しく加湿した高温風の加熱加湿空気Ｈの送出を高効率で容易に行うことができる。
また、超音波式の加湿器２０は、超音波発生器２１により貯留水Ｗより発生する蒸気Ｂと、吸入空気Ｅとにより効果的に加湿空気Ｋを送出することができる。
また、超音波式の加湿器２０の水槽２２は上面２２ａを上方向けた漏斗形状とし、外部よりの空気Ｅを円筒形状とした側面より吸入しているため、外部より吸入する空気Ｅは、的確に斜め垂直方向に拡散して送入することができ、むらのない的確な加湿空気Ｋを生成することができる。
また、貯留水Ｗに変動があったときには超音波発生器２１により発生する蒸気が不安定となるが、水位センサ２５により貯留水Ｗを一定に保ち、連続的に常に安定した加湿空気を送出することもできる。
さらに、加熱ダクト３０は、円筒部３２を垂直に設け、少なくとも１個の垂直方向に設けたコイル形の加熱器３１により加湿空気Ｋを加熱することとしたため、加湿した高温風の加熱加湿空気  Ｈの送出をより確実容易に行うことができる。【００１６】  図２は超音波式の加湿器の断面図を示し、図２（Ａ）は  第１の実施形態の超音波式の加湿器の断面図を示し、図２（Ｂ）は他の実施例の超音波式の加湿器の断面図を示す。
図２（Ａ）に示すように、超音波式の加湿器２０は、円筒形状の水槽２２の上面は漏斗形状とし、側面には空気吸入管２３を設けている。そのため、空気吸入管２３よりの吸入空気Ｅは、斜め垂直方向に拡散して送入し蒸気Ｂと混合した加湿空気Ｋを漏斗形状の上面中央明けられた貫通穴２４より送出することができ、むらのない的確な加湿空気Ｋを生成することができる。
図２（Ｂ）に示すように、他の実施例の超音波式の加湿器２０Ａは、送風器である送風ファン２８より送入管２７を通り空気Ｅが円筒形状の水槽２２の内面に沿って螺旋状に送入し、蒸気Ｂと混合した加湿空気Ｋを漏斗形状の上面中央に明けられた貫通穴２４より送出することができ、むらのない的確な加湿空気Ｋを生成することができる。
なお、他の実施例の超音波式の加湿器２０Ａは、空気Ｅの送入を送風ファン２８のみで行うようにすることもできる。
【実施例２】
【００１７】  図３は、本発明の第２の実施形態の気化式の高効率加湿温風装置の側面図を示す。
図３に示すように、本発明の第２の実施形態の気化式の高効率加湿温風装置２００は、発生する蒸気Ｂと外部より吸入する空気Ｅとが混合して加湿空気Ｋを生成し送出する気化式の加湿器５０と、気化式の加湿器５０より送出の加湿空気Ｋを加熱し加熱加湿空気Ｈとする加熱ダクト３０と、気化式の加湿器５０に外側より矢印Ｐに示すように空気Ｅを吸入すると共に加熱ダクト３０より加熱加湿空気Ｈを送入し送出する送風器５６とが設けられている。図３では、気化式の加湿器５０と加熱ダクト３０とは断面図を示す。【００１８】  純水器１１は、送入管１２よりの水道水が矢印Ｆに示すように送入され純化を行なう。純水器１１により純化された純水は、純水タンク１４に貯留され、気化式の加湿器５０に送出する。気化式の加湿器５０は、純水タンク１４より送出の純水を貯留水Ｗとして貯留し、水位センサ５５が予め定めた水位以下になったことを検知したとき制御弁１３が開き、送入管１２よりの水道水が純水器１１に送入される。純水器１１により純化された純水は純水タンク１４に貯留される。純水タンク１４では、気化式の加湿器５０に貯留の貯留水Ｗが予め定めた水位になるまで送出が行われ、気化式の加湿器５０に貯留の貯留水Ｗの水位は一定の高さに制御される。
貯留水Ｗは純水の使用により錆の発生や不純物の付着を防止することができるが、簡易的にするためには貯留水Ｗに水道水などを使用するようにすることもできる。【００１９】  気化式の加湿器５０は、純水器１１により純化した純水の貯留水Ｗが水槽５２に貯留されている。水槽５２の側面に空気吸入管５３が形成され、内部の中央には円筒５４が設けられている。円筒５４は、多数の小穴５４ａが外周に明けられ貯留する貯留水Ｗの中に下方部が挿入され粒状の加湿エレメント５１を内装する。
水槽５２の上側に設けられた送風器５６により空気層送入口が形成された空気吸入管５３より矢印Ｐに示すように空気Ｅが吸入される。吸入の空気Ｅは、円筒５４の外周に明けられた小穴５４ａと、粒状の加湿エレメント５１の隙間を通り吸引される。
このとき、気化式の加湿器５０は、粒状の加湿エレメント５１が貯留水Ｗを含有しており、吸入の空気Ｅが粒状の加湿エレメント５１に含有する貯留水Ｗを気化した蒸気Ｂと混合し加湿空気Ｋを生成する。【００２０】  また、気化式の加湿器５０の水槽５２は側面を円筒形状としているが、上面５２ａは上方向けた漏斗形状としている。外部よりの空気Ｅを側面より吸入すると共に水槽５２の漏斗形状の上面５２ａの中心に設けた貫通穴５９より加湿空気Ｋを送出する。
従って、矢印Ｐに示すように外部より吸入する空気Ｅは、的確に斜め垂直方向に拡散して送入することができ、むらのない的確な加湿空気Ｋを生成することができる。【００２１】    加熱ダクト３０は、垂直に設けられ、コイル形の加熱器３１が垂直に設けられており、気化式の加湿器５０よりの加湿空気Ｋを加熱器３１により加熱し、加湿した高温風として加熱加湿空気Ｈを矢印Ｋに示すように送風器５６により外部に送出にする。そのため、環境に優しく簡潔容易に加熱した加湿空気を高効率で送出することができる。【００２２】  次に、本発明の第２の実施形態の気化式の高効率加湿温風装置の動作につき説明する。
気化式の加湿器５０は、貯留水Ｗを貯留し、気化式の加湿器５０により加湿空気Ｋを生成し加熱ダクト３０に送出する。加熱ダクト３０は、気化式の加湿器５０より送出する加湿空気Ｋを加熱し加熱した加湿空気を加熱加湿空気Ｈとして送風器５６により外部に送出する。【００２３】  以上述べたように、本発明の第２の実施形態の気化式の高効率加湿温風装置は、蒸気を的確に発生させ効果的に加湿空気Ｋを生成し、環境に優しく加湿した高温風の加熱加湿空気Ｈの送出を高効率で容易に行うことができる。また、水位センサ５５により貯留水Ｗを一定に保ち、連続的に常に的確に加湿空気を送出することもできる。
また、気化式の加湿器５０の水槽５２は上面５２ａを上方向けた漏斗形状とし、外部よりの空気Ｅを側面より吸入しているため、外部より吸入する空気Ｅは、的確に斜め垂直方向に拡散して送入することができ、むらのない的確な加湿空気Ｋを生成することができる。
さらに、加熱ダクト３０は、垂直方向の円筒部３２の中に加熱器３１を設けているため、加湿した高温風を効果的に送出することができる【００２４】  図４は、気化式の加湿器の断面図を示し、図４（Ａ）は  第２の実施形態の気化式の加湿器の断面図を示し、図４（Ｂ）は他の実施例の気化式の加湿器の断面図を示す。
図４（Ａ）に示すように、気化式の加湿器５０は、円筒形状の水槽５２の上面は漏斗形状とし、側面には空気送入管５３を設けている。そのため、空気送入５３よりの吸入空気Ｅは、斜め垂直方向に拡散して円筒５４に側面から送入することができ、むらのない的確な加湿空気Ｋを生成することができる。
図４（Ｂ）に示すように、他の実施例の気化式の加湿器５０Ａは、送風器である送風ファン５８より送入管５７を通り空気Ｅが円筒形状の水槽２２の内面に沿って螺旋して円筒５４の側面に送入することができ、むらのない的確な加湿空気Ｋを生成することができる。
なお、他の実施例の超音波式の加湿器５０Ａは、空気Ｅの送入を送風ファン５８のみで行うようにすることもできる。
【実施例３】
【００２５】  図５は、本発明の高効率加湿温風装置に使用する他の実施例の加熱ダクトの断面図を示す。
図５に示すように、他の実施例の加熱ダクト６０は、垂直方向に設けられ、コイル形の水平加熱器６３が少なくとも１個水平方向に設けられており、送風器６２より送出する加湿空気をコイル形の水平加熱器６３により加熱し、加湿した高温風として加熱加湿空気Ｈを送出する。
そのため、加熱ダクト６０は、加湿した高温風を効果的に送出することができる。
【産業上の利用可能性】
【００２６】  本発明の高効率加湿温風装置は、家庭用や工場用などに使用することができるが、ビニールハウスなどにも幅広く適用することができる。
【符号の説明】
【００２７】  １００  超音波式の高効率加湿温風装置
２００  気化式の高効率加湿温風装置
１１  純水器
２０  超音波式の加湿器
２１  超音波発生器
２２、５２  水槽
２２ａ，５２ａ  漏斗形状の上面
２３，５３  空気吸入管
２４、５９  貫通穴
３０、６０  加熱ダクト
３１  コイル形の加熱器
３３、５６  送風器
５０  気化式の加湿器
５１  粒状の加湿エレメント
Ｂ    蒸気
Ｋ    加湿空気
Ｈ    加熱加湿空気
【図１】
2019184213.tif 000003
【図２】
2019184213.tif 000004
【図３】
2019184213.tif 000005
【図４】
2019184213.tif 000006
【図５】
2019184213.tif 000007